(57)【要約】【課題】本発明は、消耗部品の交換の際に部品取り寄せの納期短縮や修理時間の短縮化を図ることができる籾摺選別機を提供することを課題とする。【解決手段】情報端末３０は、籾摺選別機１に登録するためのユーザ情報及び販売代理店情報の入力画面を表示させる機能と、情報端末３０の入力画面にユーザ情報及び販売代理店情報を入力し、籾摺選別機１の制御部１０にユーザ情報及び販売代理店情報のデータを送信する機能とを有し、籾摺選別機１の制御部１０は、情報端末３０から受けたデータにより自己の識別情報と関連付けてユーザ情報及び販売代理店情報を登録する。【選択図】図３
2015087842.tif 000002
【特許請求の範囲】
【請求項１】
自己の識別情報を記憶した制御部を備えた籾摺選別機と、当該籾摺選別機の制御部と接続可能な情報端末と、該情報端末とインターネットを介して接続されるシステムサーバと、を備えた籾摺選別機のユーザ登録システムであって、
前記情報端末は、前記籾摺選別機に登録するためのユーザ情報及び販売代理店情報の入力画面を表示させる機能と、
前記情報端末の入力画面にユーザ情報及び販売代理店情報を入力し、前記籾摺選別機の制御部に前記ユーザ情報及び販売代理店情報のデータを送信する機能とを有し、
前記籾摺選別機の制御部は、前記情報端末から受けたデータにより自己の識別情報と関連付けてユーザ情報及び販売代理店情報を登録することを特徴とする籾摺選別機のユーザ登録システム。
【請求項２】
前記情報端末が、携帯型情報端末である請求項１記載の籾摺選別機のユーザ登録システム。
【請求項３】
前記籾摺選別機の制御部は、当該籾摺選別機の運転履歴、異常アラーム履歴及び運転累積時間を記憶するものである請求項１又は２記載の籾摺選別機のユーザ登録システム。
【発明の詳細な説明】
【技術分野】
【０００１】
本発明は、籾摺選別機に関するものであり、特に、籾摺選別機の型式、製造番号（シリアル番号）等に対応して作業者、所有者などのユーザ情報及び販売店情報を登録し、保証サービスやサポートサービスを簡便に受けることができるものに関する。
【背景技術】
【０００２】
従来、籾摺作業中であるか否かを判断する作業判断手段と、該作業判断手段で作業中と判断された時間を計時する計時手段と、消耗部品の基準耐久時間と該計時手段で計時された時間とを比較して交換時期に来ているか否かを判断する交換時期判断手段と、該交換時期判断手段で交換時期が来たと判断した消耗部品を表示する表示手段とを有する籾摺選別機の部品交換表示手段が知られている（例えば、特許文献１参照）。
この籾摺選別機は、籾摺選別作業中に主モータにより機体各部が駆動されると、作業判断手段で籾摺作業中であるか否かが判断され、作業判断手段が籾摺作業中であると判断すると、その籾摺作業時間が計時手段で計時される。次いで、交換時期判断手段で消耗部品の基準耐久時間と該計時手段で計時された累積時間とが比較されて、交換時期が来ているか否かが判断され、交換時期に到達したと判断すると、当該消耗部品が表示手段に交換時期が来た旨表示され、作業者は消耗部品の交換時期を知ることができるものである。
【０００３】
上記従来の籾摺選別機は、籾摺ロール等の消耗部品の消耗状態から交換時期を知ることができ、作業のトラブルを事前に回避することができるものの、より専門的な消耗部品、例えば、籾摺部の籾摺ロールの回転主軸のベアリング、揺動選別部の揺動カム、風選部のファン羽根等の消耗度合や、交換時期を知ることができなかった。つまり、これらの専門的な消耗部品は、サービスマンが現場で部品を目で確認してから、交換するか否かが判断され、その後、サービスマニュアルやパーツリストで型番や製造年などを照合して籾摺選別機のメーカから部品を取り寄せる場合が多く、煩雑な連絡作業が必要なことや、修理の完了までに長時間を要するといった問題があった。
【先行技術文献】
【特許文献】
【０００４】
【特許文献１】特開平８−１９７４３号公報
【発明の概要】
【発明が解決しようとする課題】
【０００５】
本発明は上記問題点にかんがみ、消耗部品の交換の際に部品取り寄せの納期短縮や修理時間の短縮化を図ることができる籾摺選別機を提供することを技術的課題とする。
【課題を解決するための手段】
【０００６】
上記課題を解決するため請求項１記載の発明は、自己の識別情報を記憶した制御部を備えた籾摺選別機と、当該籾摺選別機の制御部と接続可能な情報端末と、該情報端末とインターネットを介して接続されるシステムサーバと、を備えた籾摺選別機のユーザ登録システムであって、
前記情報端末は、前記籾摺選別機に登録するためのユーザ情報及び販売代理店情報の入力画面を表示させる機能と、前記情報端末の入力画面にユーザ情報及び販売代理店情報を入力し、前記籾摺選別機の制御部に前記ユーザ情報及び販売代理店情報のデータを送信する機能とを有し、前記籾摺選別機の制御部は、前記情報端末から受けたデータにより自己の識別情報と関連付けてユーザ情報及び販売代理店情報を登録する、という技術的手段を講じた。
【０００７】
また、請求項２記載の発明では、前記情報端末が携帯型情報端末であることを特徴とする。
【０００８】
さらに、請求項３記載の発明では、前記籾摺選別機の制御部が、当該籾摺選別機の運転履歴、異常アラーム履歴及び運転累積時間を記憶するものであることを特徴とする。
【発明の効果】
【０００９】
請求項１記載の発明によれば、情報端末が、籾摺選別機に登録するためのユーザ情報及び販売代理店情報の入力画面を表示させる機能と、情報端末の入力画面にユーザ情報及び販売代理店情報を入力し、籾摺選別機の制御部にユーザ情報及び販売代理店情報のデータを送信する機能とを有し、籾摺選別機の制御部は、情報端末から受けたデータにより自己の識別情報と関連付けてユーザ情報及び販売代理店情報を登録するものであるから、籾摺選別機を購入後、数年経過したとしても、それらの情報を容易に知ることができ、サービスマンが現場でサービスマニュアルやパーツリストなどで型番や製造年などを照合した後、籾摺選別機のメーカから部品を取り寄せる等の煩雑な連絡作業が不要となり、消耗部品の交換の際に部品取り寄せの納期短縮や修理時間の短縮化を図ることができる。また、情報端末が携帯型情報端末であると、持ち運びが便利であり、かつ、普及率の増大しているスマートフォンなどでの情報登録を容易に行うことができる。
【００１０】
さらには、籾摺選別機が故障した場合にも保証サービスやサポートサービスを簡便に受けられる。さらに、携帯型情報端末を介して籾摺選別機にユーザ情報及び販売代理店情報のデータを登録するものであるから、ユーザが携帯型情報端末を購入したときに登録した個人データ（オーナ情報）をそのまま使ってよい場合は、入力作業が省略することができ、入力作業の負担を軽減することができる。
【００１１】
請求項３記載のように、前記籾摺選別機の制御部が、当該籾摺選別機の運転履歴、異常アラーム履歴及び運転累積時間を記憶するものであるから、サービスマンが現場で確認しなくても、システムサーバのある遠隔地で籾摺選別機の故障状態を把握することができ、部品取り寄せの納期短縮や修理時間の短縮化を図ることができる。
【図面の簡単な説明】
【００１２】
【図１】本発明の籾摺選別機の全体構成を示す断面図である。
【図２】制御部のブロック図である。
【図３】本発明のユーザ登録システムのシステム構成例を示す図である。
【図４】本発明のユーザ登録システムによる作業の流れ図である。
【図５】ユーザ情報登録アプリの起動画面である。
【図６】ユーザ情報登録アプリのユーザ情報登録表示画面である。
【図７】ユーザ情報登録アプリの個人データ登録表示画面である。
【図８】ユーザ情報登録アプリの代理店情報登録表示画面である。
【図９】ユーザ情報登録アプリの登録完了の表示画面である。
【図１０】籾摺選別機の液晶タッチパネルでの表示画面である。
【図１１】籾摺選別機の識別情報と関連付けて登録されたユーザ情報及び販売代理店情報の表示画面である。
【図１２】籾摺選別機をメンテナンスする際の液晶タッチパネルの表示画面である。
【発明を実施するための形態】
【００１３】
本発明を実施するための形態を図面を参照しながら説明する。図１は本発明の籾摺選別機の全体構成を示す断面図である。この種の籾摺選別機１は、原料となる籾を貯留するための原料ホッパ２と、一対の脱ぷロール３ａ，３ｂにより籾摺を行う籾摺部４と、籾摺部４からの摺落米を風選して籾殻及び夾雑物などを除去する風選部５と、風選部５で風選された混合米を揚送する混合米揚穀機６と、混合米をいったん貯留する混合米タンク７と、混合米を籾と玄米とに分離選別する揺動選別部８と、揺動選別部８により選別された玄米を揚穀して機外に取り出す玄米揚穀機９とにより主要部が構成される。
上述の籾摺選別機１には、前記原料ホッパ２底部に設けた籾シャッタ弁（図示せず）の開／閉の切り換えの操作と、前記揺動選別部８の揺動クラッチ（図示せず）の揺動入り／揺動停止の切り換えの操作と、前記揺動選別部８の循環排出切換弁（図示せず）の循環／排出の切り換えの操作とが、レバーの位置によって連動操作することが可能な操作レバー１４が設けられている。
そして、前記籾摺選別機１の前面中央には、画面上のアイコンやボタンをタッチして、籾摺選別機１の各種運転操作の実行の選択ができる大型の液晶タッチパネル（７インチ）１１と、電源スイッチやモバイルバッテリなどの電源部１２と、ＵＳＢなどのシリアルバス規格で接続が可能なインターフェース１３とを備えた制御部１０が配置されている。
【００１４】
上記制御部１０の詳細構造を図２を参照して説明する。前記操作レバー１４が「レバー０位置（籾シャッタ弁閉、揺動クラッチ停止、循環排出弁循環）」にあることを検出するレバー０位置検知用リミットスイッチ１５と、前記操作レバー１４が「レバー２位置（籾シャッタ開、揺動クラッチ揺動入り、循環排出弁排出）」にあることを検出するレバー２位置検知リミットスイッチ１６と、前記脱ぷロール３ａ，３ｂの間隙が開放されていることを検知するロール間隙検知リミットスイッチ１７と、前記混合米タンクの貯留量が無いことを検出する混合米タンク貯留量検知リミットスイッチ１８とが、入力回路を経由して制御部のＣＰＵ１９に入力されている。
【００１５】
また、ＣＰＵ１９からは出力回路を経由して本機モータ２０と、脱ぷロール間隙調節モータ２１と、循環排出切換弁制御モータ２２と、籾シャッタ弁制御モータ２３と、警告ブザー２４とに接続されている。前記制御部１０側に設けられる記憶部２５としては、ＲＡＭ（ランダムアクセスメモリ）２６、及びＯＳやアプリケーションが記憶されているフラッシュメモリ２７が配置されている。これにより、制御部１０にＷｅｂサーバ機能を持たせることが可能となり、スマートフォン、ノートパソコン等の機種を限定することなく、どんな情報端末であっても接続が可能となる。さらに、前記制御部１０には、カレンダ・タイマＩＣ（集積回路）２８も接続されている。
【００１６】
図３は、本発明のユーザ登録システムのシステム構成例を示す図である。図３に示すように、ユーザ登録システムは、籾摺選別機１の前面中央に設置されて、当該籾摺選別機１の機種（型番）及び製造番号（シリアル番号）など自己の識別情報を記憶した制御部１０と、当該籾摺選別機１の制御部１０と接続可能であって当該籾摺選別機１のユーザによって携帯されている携帯型情報端末３０と、該携帯型情報端末３０とインターネット４０を介して接続されるシステムサーバ５０とを含んで構成される。
【００１７】
ここで、携帯型情報端末３０としては、携帯して使用が可能であり、インターネットと接続可能な機器であり、例えば、スマートフォン、ＰＤＡ（Personal Digital Assistant）、携帯電話、ＰＨＳ端末、ノートパソコン、タブレットＰＣなどが挙げられる。そして、これら携帯型情報端末３０のハードウェア構成としては、アプリケーションプロセッサ３１、モデム３２、無線部３３、電源・オーディオＬＳＩ３４及びＳＤＲＡＭ，フラッシュメモリからなる記憶部３５を含んでいる（図３参照）。
【００１８】
以下、上記構成におけるユーザ登録システムの処理手順につき、図４を参照して説明する。図４はユーザ登録システムの流れ図であり、まず、携帯型情報端末３０を籾摺選別機１の制御部１０に接続し（ステップ１０１）、次いで、携帯情報端末のＷｅｂブラウザを起動する（ステップ１０２）。そして、携帯型情報端末３０のＷｅｂブラウザ上で「ユーザ情報登録アドレス」を入力すると（ステップ１０３）、図５のようなユーザ情報登録画面が表示される。図５について説明すると、符号６０は携帯型情報端末３０の画面上に表示されたユーザ情報登録ウィンドウであり、符号６１はユーザの写真やメモを入力する画面に移行するボタンであり、符号６２はユーザの氏名、住所、連絡先などの個人データを入力する画面に移行するボタンであり、符号６３は販売代理店名、連絡先、担当者などの代理店情報を入力する画面に移行するボタンである。
【００１９】
図５の符号６１のボタンを押したときは（図４のステップ１０５）、図６のような画面を表示する。そして、図６においては、ユーザが携帯型情報端末３０を購入したときに登録した写真データ（オーナ情報）をそのまま使ってよいか否かの判断がなされ（図４のステップ１０６）、使ってよい場合は、手入力を省略して次工程の個人データを入力する工程に至り、否の場合は、手入力で入力を行う。手入力の場合は、適宜、スマートフォン、ＰＤＡなど携帯型情報端末３０に附属しているカメラなどを使用し籾摺選別機１のユーザ登録に必要な写真を取得したり、コメントを直接入力したりすることになる。
【００２０】
次に、図５の符号６２のボタンを押したときは（図４のステップ１０７）、図７のような画面を表示する。そして、図７においては、ユーザが携帯型情報端末３０を購入したときに登録した個人データ（オーナ情報）をそのまま使ってよいか否かの判断がなされ（図４のステップ１０８）、使ってよい場合は、手入力を省略して次工程の代理店情報を入力する工程に至り、否の場合は、手入力で入力を行う。手入力の場合は、適宜、籾摺選別機１のユーザ登録に必要な名前、住所、連絡先、籾摺選別機の購入日などの個人データを直接入力することになる。
【００２１】
さらに、図５の符号６３のボタンを押したときは（図４のステップ１０９）、図８のような画面を表示する。そして、図８の代理店情報の入力においては、ユーザが携帯型情報端末３０を購入したときに登録したデータ（オーナ情報）とは無関係であるため、手入力することになる。手入力では、適宜、籾摺選別機１のユーザ登録に必要な販売店又はＪＡ（農業協同組合、農協）の名前、緊急時の連絡先、担当者などの代理店データを直接入力することになる。
【００２２】
上述のデータ入力が完了すれば、図４のステップ１１０で確認画面が表示される。このとき、データを修正する場合は戻るボタン６４（図６、図７、図８参照）を押してデータの修正を行い、データが正しい場合は各画面の送信ボタン６５（図６、図７、図８参照）を押して籾摺選別機１の制御部１０に送信を行う。送信が完了すると（図４のステップ１１１）、図９のような登録完了の画面が表示される。
【００２３】
以上のような籾摺選別機１へのユーザ登録作業が終了すると、制御部１０の液晶タッチパネル１１に図１０（Ａ）の画面が表示され、籾摺選別機１の型式及び製造番号からなる識別情報と関連付けてユーザ情報及び販売代理店情報が登録される。
【００２４】
図１０（Ｂ）は、籾摺選別機１の電源投入に伴って起動する液晶タッチパネル１１のオープニング画面であり、籾摺選別機１に登録した写真データ（オーナ情報）が表示されるとともに、任意のオープニングコメントが表示される。
【００２５】
図１１は液晶タッチパネル１１を操作することで得られるサービス情報であり、図１１（Ａ）は、運転時間及び脱ぷロール３の使用時間を表示したものであり、図１１（Ｂ）は異常アラームを発生したときの履歴を表示したものであり、図１１（Ｃ）は今までの運転履歴を表示したものである。
【００２６】
図１２は籾摺選別機１をメンテナンスする際の表示画面である。この帳票は、スマートフォンのデザリング機能を利用して、籾摺選別機１とシステムサーバ５０とを接続すると、サービスマンが現場で確認しなくても遠隔地にて籾摺選別機１の故障状態を把握することができる。例えば、図１２に示すように、籾摺選別機１の型式及び製造番号からなる識別情報と関連付けてユーザ情報及び販売代理店情報が表示され、購入したときからの運転履歴、異常アラームの発生履歴及びサービス履歴が把握できる。
【００２７】
以上のように本実施形態によれば、携帯型情報端末３０は、籾摺選別機１に登録するためのユーザ情報及び販売代理店情報の入力画面を表示させる機能と、携帯型情報端末の入力画面にユーザ情報及び販売代理店情報を入力し、籾摺選別機１の制御部１０にユーザ情報及び販売代理店情報のデータを送信する機能とが起動し、籾摺選別機１の制御部１０は、携帯型情報端末３０から受けたデータにより自己の識別情報と関連付けてユーザ情報及び販売代理店情報を登録するものであるから、籾摺選別機１を購入後、数年経過したとしても、それらの情報を容易に知ることができ、サービスマンが現場でサービスマニュアルやパーツリストなどで型番や製造年などを確認した後、籾摺選別機のメーカから部品を取り寄せる等の煩雑な連絡作業が不要で、消耗部品の交換の際に部品取り寄せの納期短縮や修理時間の短縮化を図ることができる。また、故障した場合にも保証サービスやサポートサービスを簡便に受けられる。さらに、携帯型情報端末３０を介して籾摺選別機１にユーザ情報及び販売代理店情報のデータを登録するものであるから、ユーザが携帯型情報端末３０を購入したときに登録した個人データ（オーナ情報）をそのまま使ってよい場合は、入力作業が省略することができ、入力作業の負担を軽減することができる。
【００２８】
さらに、籾摺選別機１の制御部１０が、当該籾摺選別機１の運転履歴、異常アラーム履歴及び運転累積時間を記憶するものであるから、サービスマンが現場で確認しなくても、システムサーバがある遠隔地で籾摺選別機の故障状態を把握することができ、部品取り寄せの納期短縮や修理時間の短縮化を図ることができる。
【産業上の利用可能性】
【００２９】
本発明は、籾摺選別機や穀物乾燥機などの穀物調製機械に適用することが可能である。
【符号の説明】
【００３０】
１  籾摺選別機
２  原料ホッパ
３  脱ぷロール
４  籾摺部
５  風選部
６  混合米揚穀機
７  混合米タンク
８  揺動選別部
９  玄米揚穀機
１０  制御部
１１  液晶タッチパネル
１２  電源部
１３  インターフェース
１４  操作レバー
１５  レバー０位置検知リミットスイッチ
１６  レバー２位置検知リミットスイッチ
１７  ロール間隙検知リミットスイッチ
１８  混合米タンク貯留量検知リミットスイッチ
１９  ＣＰＵ
２０  本機モータ
２１  脱ぷロール間隙調節モータ
２２  循環排出切換弁制御モータ
２３  籾シャッタ弁制御モータ
２４  警告ブザー
２５  記憶部
２６  ＲＡＭ
２７  フラッシュメモリ
２８  カレンダ・タイマＩＣ
３０  携帯型情報端末
３１  アプリケーションプロセッサ
３２  モデム
３３  無線部
３４  電源・オーディオＬＳＩ
３５  記憶部
４０  インターネット
５０  システムサーバ
【図１】
2015087842.tif 000003
【図２】
2015087842.tif 000004
【図３】
2015087842.tif 000005
【図４】
2015087842.tif 000006
【図５】
2015087842.tif 000007
【図６】
2015087842.tif 000008
【図７】
2015087842.tif 000009
【図８】
2015087842.tif 000010
【図９】
2015087842.tif 000011
【図１０】
2015087842.tif 000012
【図１１】
2015087842.tif 000013
【図１２】
2015087842.tif 000014